(57)【特許請求の範囲】
【請求項１】
公営競技の投票に使用される端末装置であって、
利用者の入力を受け付ける入力部と、
前記入力部により受け付けられた前記投票に関する入力に応じた投票データをサーバへ送信し、前記投票データの受付結果を前記サーバから受信する通信部と、
前記受付結果が受付許可である場合に、前記投票データを含む投票履歴データが記憶される投票履歴データ記憶部と、
前記受付結果が受付許可である場合に、前記投票データに基づいて、投票券イメージデータを生成する生成部と、
前記生成部により生成された投票券イメージデータが記憶される投票券イメージデータ記憶部と、
前記入力部により投票内容照会要求に関する入力が受け付けられたときに、前記投票券イメージデータ記憶部に記憶されている全ての投票券イメージデータが投票結果反映済みである場合には、前記端末装置と前記サーバとの間で通信を行うことなく、前記投票結果反映済みの投票券イメージデータを表示する表示部と、
を備えることを特徴とする端末装置。
【請求項２】
前記投票履歴データ記憶部に記憶されている投票履歴データを更新する投票履歴データ更新部と、
前記投票券イメージデータ記憶部に記憶されている投票券イメージデータを更新する投票券イメージデータ更新部と、
を更に備え、
前記入力部により前記投票内容照会要求に関する入力が受け付けられたときに、前記投票履歴データ記憶部に記憶されている投票履歴データの中に投票結果未反映の投票履歴データが含まれる場合は、
前記通信部が、更に、前記投票結果未反映の投票履歴データに関する投票結果照会要求を前記サーバへ送信し、前記投票結果照会要求に対する投票結果を前記サーバから受信し、
前記投票履歴データ更新部が、前記投票結果に基づいて、前記投票履歴データ記憶部に記憶されている、前記投票結果未反映の投票履歴データを更新し、
前記投票券イメージデータ更新部が、前記投票履歴データ更新部により更新された投票履歴データに基づいて、投票券イメージデータ記憶部に記憶されている、対応する投票券イメージデータを更新し、
前記表示部が、前記投票券イメージデータ記憶部に記憶されている投票券イメージデータを表示する、
ことを特徴とする請求項１記載の端末装置。
【請求項３】
前記投票券イメージデータ更新部により更新された投票券イメージデータは、当該更新された投票券イメージデータが前記表示部により表示されたときに的中又は不的中が利用者に区別可能になるような投票券イメージデータである、
ことを特徴とする請求項２記載の端末装置。
【請求項４】
前記投票券イメージデータ更新部により更新された投票券イメージデータは、当該更新された投票券イメージデータが前記表示部により表示されたときに高配当な的中、高配当でない的中、又は不的中が利用者に区別可能になるような投票券イメージデータである、
ことを特徴とする請求項３記載の端末装置。
【請求項５】
前記投票券イメージデータ更新部は、前記投票履歴データ更新部により更新された投票履歴データに基づいて更新後投票券イメージデータを生成し、前記投票券イメージデータ記憶部に記憶されている、対応する投票券イメージデータを、前記更新後投票券イメージデータに置き換える、
ことを特徴とする請求項２乃至４の何れか一項に記載の端末装置。
【請求項６】
前記投票券イメージデータ更新部は、前記投票履歴データ更新部により更新された投票履歴データに基づいて更新後投票券イメージデータを生成するときに、前記更新された投票履歴データが的中の組み合わせ及び不的中の組み合わせを有する組番を含む場合は、当該更新後投票券イメージデータが前記表示部により表示されたときに的中の組み合わせと不的中の組み合わせとが利用者に区別可能になるような更新後投票券イメージデータを生成する、
ことを特徴とする請求項５記載の端末装置。
【請求項７】
的中スタンプイメージデータ及び不的中スタンプイメージデータが記憶されるスタンプイメージデータ記憶部を更に備え、
前記投票券イメージデータ更新部は、前記投票履歴データ更新部により更新された投票履歴データに基づいて、前記投票券イメージデータ記憶部に記憶されている、対応する投票券イメージデータに、前記スタンプイメージデータ記憶部に記憶されている的中スタンプイメージデータ又は不的中スタンプイメージデータを合成する、
ことを特徴とする請求項２又は３記載の端末装置。
【請求項８】
高配当な的中スタンプイメージデータ、高配当でない的中スタンプイメージデータ、及び不的中スタンプイメージデータが記憶されるスタンプイメージデータ記憶部を更に備え、
前記投票券イメージデータ更新部は、前記投票履歴データ更新部により更新された投票履歴データに基づいて、前記投票券イメージデータ記憶部に記憶されている、対応する投票券イメージデータに、前記スタンプイメージデータ記憶部に記憶されている高配当な的中スタンプイメージデータ、高配当でない的中スタンプイメージデータ、又は不的中スタンプイメージデータを合成する、
ことを特徴とする請求項２乃至４の何れか一項に記載の端末装置。
【請求項９】
公営競技の投票に使用される端末装置のコンピュータに、
利用者の入力を受け付ける入力機能と、
前記入力機能により受け付けられた前記投票に関する入力に応じた投票データをサーバへ送信し、前記投票データの受付結果を前記サーバから受信する通信機能と、
前記受付結果が受付許可である場合に、前記投票データを含む投票履歴データを投票履歴データ記憶部に記憶する投票履歴データ記憶機能と、
前記受付結果が受付許可である場合に、前記投票データに基づいて、投票券イメージデータを生成する生成機能と、
前記生成機能により生成された投票券イメージデータを投票券イメージデータ記憶部に記憶する投票券イメージデータ記憶機能と、
前記入力機能により投票内容照会要求に関する入力が受け付けられたときに、前記投票券イメージデータ記憶部に記憶されている全ての投票券イメージデータが投票結果反映済みである場合には、前記端末装置と前記サーバとの間で通信を行うことなく、前記投票結果反映済みの投票券イメージデータを表示する表示機能と、
を実現させることを特徴とする投票内容照会プログラム。
【請求項１０】
公営競技の投票に使用される端末装置による投票内容照会方法であって、
利用者から受け付けた前記投票に関する入力に応じた投票データをサーバへ送信し、
前記投票データの受付結果を前記サーバから受信し、
前記受付結果が受付許可である場合に、前記投票データを含む投票履歴データを投票履歴データ記憶部に記憶し、
前記受付結果が受付許可である場合に、前記投票データに基づいて、投票券イメージデータを生成し、
前記生成した投票券イメージデータを投票券イメージデータ記憶部に記憶し、
前記利用者から投票内容照会要求に関する入力を受け付けたときに、前記投票券イメージデータ記憶部に記憶されている全ての投票券イメージデータが投票結果反映済みである場合には、前記端末装置と前記サーバとの間で通信を行うことなく、前記投票結果反映済みの投票券イメージデータを表示する、
ことを特徴とする投票内容照会方法。
【発明の詳細な説明】
【技術分野】
【０００１】
本発明は、競馬、競輪、競艇、又はオートレース等の公営競技の投票に使用される端末装置、その投票内容照会プログラム、及びその投票内容照会方法に関する。
【背景技術】
【０００２】
従来、公営競技の投票や過去の投票内容の照会等を、ＰＣ（Personal Computer）、スマートフォン、又は携帯電話機等の端末装置からインターネット等を介して行うことができる公営競技用システムが知られている。例えば、ＰＣ又は携帯電話機からなる顧客端末からインターネットを介して競技場システムにアクセスして投票や投票照会等が行われる公営競技用データ処理システムが知られている（特許文献１参照）。また、例えば、ＰＣ、ＰＤＡ（Personal Digital Assistance）端末、又は携帯電話端末等の利用者端末からインターネット等を介して投票センタにアクセスして投票や投票内容照会等が行われるシステムも知られている（特許文献２参照）。
【０００３】
このような公営競技用システムでは、過去の投票内容を照会しようとする利用者は、自身の端末装置からインターネット等を介して所定のサーバ（例えば上述の競技場システムや投票センタ等）にアクセスし、過去の投票時に通知された受付番号等に基づいて目的とする投票内容を見つけ出すことにより、過去の投票内容を照会することができる。但し、利用者の利用時間が制限されている公営競技用システムの場合には、その照会を利用時間内に行う必要がある。
【先行技術文献】
【特許文献】
【０００４】
【特許文献１】特開２００８−２５７３４９号公報
【特許文献２】特表２００４−３２６６４４号公報
【発明の概要】
【発明が解決しようとする課題】
【０００５】
上述のような公営競技用システムでは、多数の利用者（端末装置）によるサーバへのアクセスが集中すると、通信トラフィックやサーバ負荷が増大し、端末装置とサーバとの間の通信が円滑に行われない場合があった。このような場合、利用者は過去の投票内容を照会することができない場合があった。
【０００６】
また、利用者が過去の投票内容を照会する場合には、過去の投票時に通知された受付番号等に基づいて目的とする投票内容を見つけ出す必要があるため、それが利用者にとって煩わしかった。
【０００７】
さらに、利用者の利用時間が制限されている公営競技用システムでは、利用者は利用時間外において過去の投票内容を照会することができなかった。
【０００８】
本発明は、上記実状に鑑み、過去の投票内容の照会を利用者がいつでも容易に行うことができる端末装置、投票内容照会プログラム、及び投票内容照会方法を提供することを目的とする。
【課題を解決するための手段】
【０００９】
装置の一観点によれば、公営競技の投票に使用される端末装置は、利用者の入力を受け付ける入力部と、前記入力部により受け付けられた前記投票に関する入力に応じた投票データをサーバへ送信し、前記投票データの受付結果を前記サーバから受信する通信部と、前記受付結果が受付許可である場合に、前記投票データを含む投票履歴データが記憶される投票履歴データ記憶部と、前記受付結果が受付許可である場合に、前記投票データに基づいて、投票券イメージデータを生成する生成部と、前記生成部により生成された投票券イメージデータが記憶される投票券イメージデータ記憶部と、前記入力部により投票内容照会要求に関する入力が受け付けられたときに、前記投票券イメージデータ記憶部に記憶されている全ての投票券イメージデータが投票結果反映済みである場合には、前記端末装置と前記サーバとの間で通信を行うことなく、前記投票結果反映済みの投票券イメージデータを表示する表示部と、を備える。
【００１０】
プログラムの一観点によれば、投票内容照会プログラムは、公営競技の投票に使用される端末装置のコンピュータに、利用者の入力を受け付ける入力機能と、前記入力機能により受け付けられた前記投票に関する入力に応じた投票データをサーバへ送信し、前記投票データの受付結果を前記サーバから受信する通信機能と、前記受付結果が受付許可である場合に、前記投票データを含む投票履歴データを投票履歴データ記憶部に記憶する投票履歴データ記憶機能と、前記受付結果が受付許可である場合に、前記投票データに基づいて、投票券イメージデータを生成する生成機能と、前記生成機能により生成された投票券イメージデータを投票券イメージデータ記憶部に記憶する投票券イメージデータ記憶機能と、前記入力機能により投票内容照会要求に関する入力が受け付けられたときに、前記投票券イメージデータ記憶部に記憶されている全ての投票券イメージデータが投票結果反映済みである場合には、前記端末装置と前記サーバとの間で通信を行うことなく、前記投票結果反映済みの投票券イメージデータを表示する表示機能と、を実現させる。
【００１１】
方法の一観点によれば、公営競技の投票に使用される端末装置による投票内容照会方法は、利用者から受け付けた前記投票に関する入力に応じた投票データをサーバへ送信し、前記投票データの受付結果を前記サーバから受信し、前記受付結果が受付許可である場合に、前記投票データを含む投票履歴データを投票履歴データ記憶部に記憶し、前記受付結果が受付許可である場合に、前記投票データに基づいて、投票券イメージデータを生成し、前記生成した投票券イメージデータを投票券イメージデータ記憶部に記憶し、前記利用者から投票内容照会要求に関する入力を受け付けたときに、前記投票券イメージデータ記憶部に記憶されている全ての投票券イメージデータが投票結果反映済みである場合には、前記端末装置と前記サーバとの間で通信を行うことなく、前記投票結果反映済みの投票券イメージデータを表示する。
【発明の効果】
【００１２】
開示の装置、プログラム、及び方法は、過去の投票内容の照会を利用者がいつでも容易に行うことができる、という効果を奏する。
【図面の簡単な説明】
【００１３】
【図１】一実施の形態に係る端末装置である利用者端末を含む公営競技用システムの構成例を示す図である。
【図２】利用者端末の機能ブロック構成例を示す図である。
【図３】利用者端末のハードウェア構成例を示す図である。
【図４】投票後かつ投票結果反映前の投票履歴データテーブルの一例を示す図である。
【図５】投票後かつ投票結果（的中）反映後の投票履歴データテーブルの一例を示す図である。
【図６】投票後かつ投票結果（不的中）反映後の投票履歴データテーブルの一例を示す図である。
【図７】投票後かつ投票結果（高配当的中）反映後の投票履歴データテーブルの一例を示す図である。
【図８】メニュー画面の一例を示す図である。
【図９】利用者端末の投票動作の一例を示すフローチャートである。
【図１０】利用者端末の照会動作の一例を示すフローチャートである。
【図１１】確認画面の一例を示す図である。
【図１２】投票券イメージデータの一例を示す図（その１）である。
【図１３】投票券イメージデータの一例を示す図（その２）である。
【図１４】更新後投票券イメージデータの一例を示す図（その１）である。
【図１５】更新後投票券イメージデータの一例を示す図（その２）である。
【図１６】更新後投票券イメージデータの一例を示す図（その３）である。
【図１７】更新後投票券イメージデータの一例を示す図（その４）である。
【発明を実施するための形態】
【００１４】
以下、図面を参照しながら本発明の実施の形態を説明する。
図１は、本発明の一実施の形態に係る端末装置である利用者端末を含む公営競技用システムの構成例を示す図である。
【００１５】
図１に示したように、公営競技用システム１は、利用者端末１０、投票サーバ２０、及びネットワーク３０を含み、利用者端末１０と投票サーバ２０とがネットワーク３０を介して通信可能に接続されている。
【００１６】
利用者端末１０は、競馬、競輪、競艇、又はオートレース等の公営競技の投票等に使用される端末装置であって、例えば、スマートフォン、携帯電話機、タブレット端末、又はＰＣ等である。なお、以下では、公営競技の投票を、単に投票と言う。
【００１７】
投票サーバ２０は、利用者端末１０を使用して行われる利用者からの投票の受け付けや、受け付けた投票に関する投票データの管理等を行う。
【００１８】
ネットワーク３０は、例えば、ＬＡＮ（Local Area Network）、ＷＡＮ（Wide Area Network）、又はインターネット等のネットワーク、或いは、それらが混在するネットワークである。また、ネットワーク３０は、有線ネットワーク及び無線ネットワークの一方又は両方からなるネットワークである。
【００１９】
なお、図１においては、説明の便宜のために利用者端末１０を１つしか示していないが、実際には複数の利用者端末１０が存在し、図示しない他の利用者端末１０の各々も、ネットワーク３０を介して投票サーバ２０と通信可能に接続されている。
【００２０】
図２は、利用者端末１０の機能ブロック構成例を示す図である。
図２に示したように、利用者端末１０は、制御部１０１、入力部１０２、通信部１０３、投票履歴データ記憶部１０４、生成部１０５、投票券イメージデータ記憶部１０６、表示部１０７、投票履歴データ更新部１０８、及び投票券イメージデータ更新部１０９を含む。なお、破線で示したスタンプイメージデータ記憶部１１０については、後述する。
【００２１】
制御部１０１は、利用者端末１０の全体動作を制御する。
入力部１０２は、利用者からの各種の入力を受け付ける。例えば、入力部１０２は、投票に関する入力や、利用者の過去の投票内容の照会要求に関する入力等を受け付ける。
【００２２】
通信部１０３は、ネットワーク３０に接続され、投票サーバ２０等の外部装置と通信を行う。例えば、通信部１０３は、入力部１０２により受け付けられた投票に関する入力に応じた投票データを投票サーバ２０へ送信し、その投票データの受付結果を投票サーバ２０から受信する。また、例えば、通信部１０３は、入力部１０２により投票内容の照会要求に関する入力が受け付けられたときに、投票履歴データ記憶部１０４に記憶されている投票履歴データの中に投票結果未反映の投票履歴データが含まれる場合には、その投票結果未反映の投票履歴データに関する投票結果照会要求を投票サーバ２０へ送信し、その投票結果照会要求に対する投票結果を投票サーバ２０から受信する。
【００２３】
投票履歴データ記憶部１０４は、通信部１０３により受信された、投票データの受付結果が受付許可である場合に、その投票データを含む投票履歴データが記憶される。
【００２４】
生成部１０５は、通信部１０３により受信された、投票データの受付結果が受付許可である場合に、その投票データに基づいて投票券イメージデータを生成する。
【００２５】
投票券イメージデータ記憶部１０６は、生成部１０５により生成された投票券イメージデータが記憶される。
【００２６】
表示部１０７は、各種の表示を行う。例えば、表示部１０７は、入力部１０２により投票内容照会要求に関する入力が受け付けられたときに、投票券イメージデータ記憶部１０６に記憶されている投票券イメージデータを表示する。
【００２７】
投票履歴データ更新部１０８は、投票履歴データ記憶部１０４に記憶されている投票履歴データを更新する。例えば、投票履歴データ更新部１０８は、通信部１０３により受信された、投票結果照会要求に対する投票結果に基づいて、投票履歴データ記憶部１０４に記憶されている、対応する投票履歴データを更新する。
【００２８】
投票券イメージデータ更新部１０９は、投票履歴データ更新部１０８により更新された投票履歴データに基づいて、投票券イメージデータ記憶部１０６に記憶されている、対応する投票券イメージデータを更新する。
【００２９】
なお、投票券イメージデータ更新部１０９により更新された投票券イメージデータは、当該更新された投票券イメージデータが表示部１０７により表示されたときに的中又は不的中が利用者に区別可能になるような投票券イメージデータである。あるいは、投票券イメージデータ更新部１０９により更新された投票券イメージデータは、当該更新された投票券イメージデータが表示部１０７により表示されたときに高配当な的中、高配当でない的中、又は不的中が利用者に区別可能になるような投票券イメージデータである。
【００３０】
投票券イメージデータ更新部１０９による投票券イメージデータの更新方法は、例えば、次のような２つの方法（第１及び第２の方法）がある。
【００３１】
第１の方法は、投票券イメージデータ更新部１０９が、投票履歴データ更新部１０８により更新された投票履歴データに基づいて更新後投票券イメージデータを生成し、投票券イメージデータ記憶部１０６に記憶されている、対応する投票券イメージデータを、その更新後投票券イメージデータに置き換えることにより、投票券イメージデータの更新を行う方法である。この第１の方法では、投票券イメージデータ更新部１０９が、投票履歴データ更新部１０８により更新された投票履歴データに基づいて更新後投票券イメージデータを生成するときに、その更新された投票履歴データが的中の組み合わせ及び不的中の組み合わせを有する組番（組み合わせ番号、または買い目とも称する）を含む場合には、当該更新後投票券イメージデータが表示部１０７により表示されたときに的中の組み合わせと不的中の組み合わせとが利用者に区別可能になるような更新後投票券イメージデータを生成する。
【００３２】
第２の方法は、利用者端末１０が、的中スタンプイメージデータ及び不的中スタンプイメージデータが記憶されるスタンプイメージデータ記憶部１１０を更に備えるようにし、投票券イメージデータ更新部１０９が、投票履歴データ更新部１０８により更新された投票履歴データに基づいて、投票券イメージデータ記憶部１０６に記憶されている、対応する投票券イメージデータに、スタンプイメージデータ記憶部１１０に記憶されている的中スタンプイメージデータ又は不的中スタンプイメージデータを合成することにより、投票券イメージデータの更新を行う方法である。あるいは、第２の方法は、利用者端末１０が、高配当な的中スタンプイメージデータ、高配当でない的中スタンプイメージデータ、及び不的中スタンプイメージデータが記憶されるスタンプイメージデータ記憶部１１０を更に備えるようにし、投票券イメージデータ更新部１０９が、投票履歴データ更新部１０８により更新された投票履歴データに基づいて、投票券イメージデータ記憶部１０６に記憶されている、対応する投票券イメージデータに、スタンプイメージデータ記憶部１１０に記憶されている高配当な的中スタンプイメージデータ、高配当でない的中スタンプイメージデータ、又は不的中スタンプイメージデータを合成することにより、投票券イメージデータの更新を行う方法である。
【００３３】
以下では、投票券イメージデータの更新が上述の第１の方法により行われるものとして、説明を行う。
【００３４】
図３は、利用者端末１０のハードウェア構成例を示す図である。
図３に示したように、利用者端末１０は、制御装置１２１、ディスプレイ１２２、入力装置１２３、カメラ１２４、電源部１２５、及び通信装置１２６を含む。
【００３５】
制御装置１２１は、ＣＰＵ（Central Processing Unit）１２７、ＲＡＭ（Random Access Memory）１２８、ＲＯＭ（Read Only Memory）１２９、及び入出力装置１３０を含み、その各々がバス１３１を介して接続されている。なお、制御装置１２１は、コンピュータの一例である。
【００３６】
ＣＰＵ１２７は、利用者端末１０の全体動作を制御する。ＲＡＭ１２８は、ＣＰＵ１２７によって実行されるＯＳ（Operating System）のプログラムやアプリケーションプログラムの少なくとも一部を一時的に格納する。また、ＲＡＭ１２８は、ＣＰＵ１２７による処理に必要な各種データを格納する。ＲＯＭ１２９は、例えばフラッシュＲＯＭであって、ＯＳのプログラムやアプリケーションプログラムを記憶する。また、ＲＯＭ１２９は、詳しくは図４乃至図７を用いて後述する投票履歴データテーブルや、投票券イメージデータを記憶する。
【００３７】
入出力装置１３０には、ディスプレイ１２２、入力装置１２３、カメラ１２４、電源部１２５、及び通信装置１２６が接続されている。また、図示はしないが、入出力装置１３０には、可搬型記録媒体（例えばフラッシュメモリ型メモリカード等）に対する情報の書込み及び読出しが可能な可搬型記録媒体インタフェースも接続されている。
【００３８】
入出力装置１３０は、ディスプレイ１２２、入力装置１２３、カメラ１２４、電源部１２５、通信装置１２６、及び図示しない可搬型記録媒体インタフェースから送られてくる信号を、バス１３１を介してＣＰＵ１２７に送信する。また、入出力装置１３０は、ＣＰＵ１２７から送られてくる制御信号を、バス１３１を介して対応するユニット（ディスプレイ１２２、入力装置１２３、カメラ１２４、電源部１２５、通信装置１２６、又は図示しない可搬型記録媒体インタフェース）へ送信する。
【００３９】
ディスプレイ１２２は、例えばＬＣＤ（Liquid Crystal Display）等であって、各種の表示を行う。入力装置１２３は、例えばディスプレイ１２２上に配置されたタッチパネルやキーボード等であって、利用者からの各種の入力を受け付ける。カメラ１２４は、例えば利用者の指示入力に応じて被写体を撮像する。電源部１２５は、利用者端末１０の各部へ供給する電力を管理する。通信装置１２６は、ネットワーク３０に接続され、投票サーバ２０等の外部装置と通信を行う。
【００４０】
なお、制御装置１２１において、ＲＯＭ１２９に記憶されるＯＳのプログラムやアプリケーションプログラムは、例えば、図示しない外部装置から、ネットワーク３０、通信装置１２６、及び入出力装置１３０を介して、ＲＯＭ１２９に記憶されてもよい。あるいは、図示しない可搬型記録媒体から、図示しない可搬型記録媒体インタフェース及び入出力装置１３０を介して、ＲＯＭ１２９に記憶されてもよい。また、ＣＰＵ１２７によって実行されるＯＳのプログラムやアプリケーションプログラムは、例えば、図示しない外部装置から、ネットワーク３０、通信装置１２６、及び入出力装置１３０を介して、ＲＡＭ１２８に格納されて、ＣＰＵ１２７によって実行されてもよい。あるいは、図示しない可搬型記録媒体から、図示しない可搬型記録媒体インタフェース及び入出力装置１３０を介して、ＲＡＭ１２８に格納されて、ＣＰＵ１２７によって実行されてもよい。
【００４１】
図４乃至図７は、ＲＯＭ１２９に記憶される投票履歴データテーブルの一例を示す図である。より詳しくは、図４は、利用者端末１０を介して利用者が投票を行った後であって、且つ、その投票結果が反映される前の投票履歴データテーブルの一例を示す図である。図５乃至図７の各々は、その後、その投票結果が反映された後の投票履歴データテーブルの一例を示す図である。より詳しくは、図５は、的中（高配当でない的中）である投票結果が反映された後の投票履歴データテーブルの一例を示す図であり、図６は、不的中である投票結果が反映された後の投票履歴データテーブルの一例を示す図であり、図７は、高配当な的中である投票結果が反映された後の投票履歴データテーブルの一例を示す図である。
【００４２】
図４乃至図７に示したように、投票履歴データテーブルには、投票毎に、投票履歴データとして、投票日時、受付Ｎｏ．、場名、日付、回日、レース番号、式別、投票形式、組番、金額、合計、ファイル名、更新日時、着順、的中状況、スタンプ、的中金額、配当金、及び払戻金のデータが格納される。
【００４３】
投票日時は、投票が行われた日時である。受付Ｎｏ．は、投票が受付許可されたときに投票サーバ２０から通知される番号である。場名は、投票対象レースの開催場である。日付は、投票対象レースの開催日付である。回日は投票対象レースの開催回日である。レース番号は、投票対象レース（投票対象レースのレース番号）である。式別は、投票券の種類であり、賭式とも称する。例えば、競馬においては、「単勝」、「複勝」、「ワイド」、「枠連」、「馬連」、「３連単」、「３連複」等がある。投票形式は、投票方法の種類である。例えば、競馬においては、「普通」、「流し」、「ボックス」、「フォーメーション」等がある。組番は、投票対象の組み合わせ番号であり、買い目とも称する。金額は、組番（買い目）における組み合わせ１つ当たりの投票金額である。合計は、投票金額の合計である。ファイル名は、当該投票履歴データに対応する投票券イメージデータのファイル名である。更新日時は、当該投票履歴データの更新日時（投票結果が反映された日時）である。着順は、投票対象レースの着順である。的中状況は、投票結果が的中又は不的中のいずれの状況であるかを示すものである。スタンプは、当該投票履歴データに基づいて更新後投票券イメージデータが生成されるときに、その更新後投票券イメージデータを、何れ（的中、万馬券、又は万舟券等）のスタンプ付きのものとするか、又はスタンプ無しのものとするか、を示すものである。的中金額は、的中した金額である。配当金は、的中した金額１００円当たりの払戻金である。払戻金は、的中した金額の払戻金である。
【００４４】
次に、公営競技用システム１における利用者端末１０の動作について説明する。
なお、利用者端末１０の動作は、ＣＰＵ１２７がＲＯＭ１２９に記憶されているＯＳのプログラムやアプリケーションプログラムを実行することによって行われる。
【００４５】
利用者端末１０において、入力装置１２３を介して利用者により所定の入力が行われると、ＣＰＵ１２７は、ディスプレイ１２２にメニュー画面を表示する。
【００４６】
図８は、そのメニュー画面の一例を示す図である。
図８に示したように、メニュー画面１４１は、「投票」ボタン１４２と「照会」ボタン１４３を含む。メニュー画面１４１において、入力装置１２３を介して利用者により「投票」ボタン１４２を押下するための入力が行われると、ＣＰＵ１２７は、図９に示す投票動作を開始し、利用者は投票を行うことができる。また、入力装置１２３を介して利用者により「照会」ボタン１４３を押下するための入力（投票内容照会要求に関する入力）が行われると、ＣＰＵ１２７は、図１０に示す照会動作を開始し、利用者は過去の投票内容を照会することができる。
【００４７】
図９は、利用者端末１０の投票動作の一例を示すフローチャートである。
図９に示したように、投票動作が開始すると、ＣＰＵ１２７は、まず、入力装置１２３を介して行われる利用者の入力（投票に関する入力）に応じて、場名、レース番号、式別、投票形式、組番、金額等を選択する（Ｓ１１０）。
【００４８】
続いて、ＣＰＵ１２７は、Ｓ１１０での選択に基づいた利用者の投票内容の確認画面をディスプレイ１２２に表示する（Ｓ１２０）。
【００４９】
図１１は、その確認画面の一例を示す図である。
図１１に示したように、確認画面１５１は、利用者の投票内容１５２と、「投票する」ボタン１５３を含む。
【００５０】
確認画面１５１において、入力装置１２３を介して利用者により「投票する」ボタン１５３を押下するための入力が行われると、ＣＰＵ１２７は、Ｓ１１０での選択に基づいた投票データを含む電文を投票サーバ２０へ送信する（Ｓ１３０）。なお、投票データは、場名、日付、回日、レース番号、式別、投票形式、組番、金額、及び合計等のデータである。
【００５１】
続いて、ＣＰＵ１２７は、Ｓ１３０で送信した電文に含まれる投票データの受付結果を含む電文を投票サーバ２０から受信し（Ｓ１４０）、その受付結果が、受付許可であるか否かを判定する（Ｓ１５０）。なお、Ｓ１４０で受信した電文が、受付許可の受付結果を含む場合、その電文は、更に、受付許可が為された投票データに対して発行された受付Ｎｏ．のデータを含む。
【００５２】
Ｓ１５０の判定結果がＮｏの場合は、処理がＳ１１０へ戻る。
一方、Ｓ１５０の判定結果がＹｅｓの場合、ＣＰＵ１２７は、投票日時とされる現在日時のデータと、Ｓ１４０で受信した電文に含まれる受付Ｎｏ．のデータと、Ｓ１３０で送信した電文に含まれる投票データと、Ｓ１６０で生成される投票券イメージデータのファイル名とを含む投票履歴データを、ＲＯＭ１２９に記憶されている投票履歴データテーブルに格納する（Ｓ１６０）。なお、Ｓ１６０で生成される投票券イメージデータのファイル名は、当該投票履歴データに一意に対応する。このＳ１６０により、その投票履歴データが、例えば図４に示した投票履歴データテーブルの１レコード目の投票履歴データ（受付Ｎｏ．が１の投票履歴データ）のように、投票履歴データテーブルに格納される。
【００５３】
Ｓ１６０の後、ＣＰＵ１２７は、Ｓ１３０で送信した電文に含まれる投票データ（Ｓ１６０で投票履歴データテーブルに格納された投票履歴データに含まれる投票データでもある）に基づいて、投票券イメージデータを生成し、ＲＯＭ１２９に記憶する（Ｓ１７０）。
【００５４】
図１２及び図１３は、その投票券イメージデータの一例を示す図である。
図１２に示した投票券イメージデータ１６１は、図４に示した投票履歴データテーブルの１レコード目の投票履歴データに含まれる投票データに基づいて生成された投票券イメージデータである。図１３に示した投票券イメージデータ１６２は、図４に示した投票履歴データテーブルの２レコード目の投票履歴データ（受付Ｎｏ．が２の投票履歴データ）に含まれる投票データに基づいて生成された投票券イメージデータである。
【００５５】
なお、これらの投票券イメージデータ１６１及び１６２は、投票結果が未確定（レース結果待ち）であることを示すイメージデータ１６１ａ、１６２ａを含む。
【００５６】
図９のＳ１７０が終了すると投票動作が終了し、例えば、ＣＰＵ１２７は、再びディスプレイ１２２にメニュー画面１４１（図８参照）を表示する。
【００５７】
図１０は、利用者端末１０の照会動作の一例を示すフローチャートである。
図１０に示したように、照会動作が開始すると、ＣＰＵ１２７は、まず、ＲＯＭ１２９に記憶されている投票履歴データテーブルから全ての投票履歴データを読み出す（Ｓ２１０）。
【００５８】
続いて、ＣＰＵ１２７は、Ｓ２１０で読み出した投票履歴データの中に、投票結果が未反映の投票履歴データが含まれているか否かを判定する（Ｓ２２０）。なお、投票結果が未反映の投票履歴データとは、図４に示した投票履歴データテーブルに格納されている投票履歴データのように、更新日時、着順、的中状況、スタンプ、的中金額、配当金、及び払戻金のデータが含まれていない投票履歴データのことである。
【００５９】
Ｓ２２０の判定結果がＹｅｓの場合、ＣＰＵ１２７は、投票結果が未反映の投票履歴データ毎に、当該投票履歴データに含まれる受付Ｎｏ．のデータをキーに、その投票結果を投票サーバ２０に問い合わせる（Ｓ２３０）。より詳しくは、ＣＰＵ１２７は、投票結果が未反映の投票履歴データ毎に、当該投票履歴データに含まれる受付Ｎｏ．のデータを含む投票結果照会要求電文を投票サーバ２０へ送信し、その応答電文を投票サーバ２０から受信する。応答電文は、投票結果が確定されているか否かを示すデータを含み、投票結果が確定されていることを示すデータを含む場合は、更に、その投票結果に関するデータ（着順、的中金額、配当金、及び払戻金等のデータ）を含む。
【００６０】
Ｓ２３０の後、ＣＰＵ１２７は、Ｓ２３０での問い合わせの結果、確定されている投票結果が有るか否かを判定する（Ｓ２４０）。
【００６１】
Ｓ２４０の判定結果がＹｅｓの場合、ＣＰＵ１２７は、その確定されている投票結果を、投票結果が未反映の投票履歴データに反映し、投票履歴データを更新する（Ｓ２５０）。より詳しくは、ＣＰＵ１２７は、更新日時とされる現在時刻のデータと、投票サーバ２０から受信した応答電文に含まれる投票結果に関するデータと、その投票結果に関するデータに基づく的中状況及びスタンプのデータを、ＲＯＭ１２９に記憶されている投票履歴データテーブルに格納されている投票結果が未反映の投票履歴データに追加する。これにより、例えば、図４に示した投票履歴データテーブルに格納されている投票履歴データが、図５、図６、又は図７に示した投票履歴データテーブルに格納されている投票履歴データのように、更新される。
【００６２】
Ｓ２５０の後、ＣＰＵ１２７は、Ｓ２５０で更新した投票履歴データに基づいて更新後投票券イメージデータを生成し、ＲＯＭ１２９に記憶されている、ファイル名が対応する投票券イメージデータを、その更新後投票券イメージデータに置き換えて、投票券イメージデータを更新する（Ｓ２６０）。
【００６３】
図１４乃至図１６は、その更新後投票券イメージデータの一例を示す図である。
図１４に示した更新後投票券イメージデータ１７１は、図５に示した投票履歴データテーブルの１レコード目の投票履歴データに基づいて生成された投票券イメージデータである。更新後投票券イメージデータ１７１は、投票履歴データにおける組番（３−５−７）、払戻金（１３７０円）、及びスタンプ（的中）等に対応するイメージデータ１７１ａ、１７１ｂ、及び１７１ｃ等を含む。
【００６４】
図１５に示した更新後投票券イメージデータ１７２は、図６に示した投票履歴データテーブルの１レコード目の投票履歴データに基づいて生成された投票券イメージデータである。更新後投票券イメージデータ１７２は、投票履歴データにおける組番（３−５−７）及び払戻金（０円）等に対応するイメージデータ１７２ａ及び１７２ｂ等を含む。
【００６５】
図１６に示した更新後投票券イメージデータ１７３は、図７に示した投票履歴データテーブルの１レコード目の投票履歴データに基づいて生成された投票券イメージデータである。更新後投票券イメージデータ１７３は、投票履歴データにおける組番（３−５−７）、払戻金（３９５００円）、及びスタンプ（万馬券）等に対応するイメージデータ１７３ａ、１７３ｂ、及び１７３ｃ等を含む。
【００６６】
図１７に示した更新後投票券イメージデータ１７４は、図７に示した投票履歴データテーブルの２レコード目の投票履歴データに基づいて生成された投票券イメージデータである。更新後投票券イメージデータ１７４は、投票履歴データにおける組番（２−５，５−２）、払戻金（２５００００円）、及びスタンプ（万舟券）等に対応するイメージデータ１７４ａ、１７４ｂ、及び１７４ｃ等を含む。
【００６７】
なお、図１４乃至図１７において、的中の更新後投票券イメージデータ（図１４、図１６、及び図１７参照）では、外形線が例えば赤く着色される。
【００６８】
また、高配当な的中の更新後投票券イメージデータ（図１６及び図１７参照）では、更に、外形線が太くされると共に、投票履歴データにおける組番に対応するイメージデータ１７３ａ、１７４ａと、投票履歴データにおける払戻金に対応するイメージデータ１７３ｂ、１７４ｂが、例えば赤く着色される。但し、図１７に示したように、投票履歴データにおける組番（２−５，５−２）が的中の組み合わせ（２−５）と不的中の組み合わせ（５−２）を有する場合には、的中の組み合わせに対応する部分のみの文字や背景が着色される。尚、上記内容は、的中の組み合わせを強調させる為の一例であり、字体を変更したり、背景や文字に模様を付けたり、周囲に文字や記号を付ける等別の方法により、的中の組み合わせを強調することも可能である。
【００６９】
図１０において、Ｓ２２０の判定結果がＮｏの場合、Ｓ２４０の判定結果がＮｏの場合、又はＳ２６０の後、ＣＰＵ１２７は、ＲＯＭ１２９に記憶されている投票券イメージデータをディスプレイ１２２に表示する（Ｓ２７０）。これにより、例えば、図１２及び図１３に示した投票券イメージデータや図１４乃至図１７に示した更新後投票券イメージデータが、ディスプレイ１２２に表示される。なお、投票券イメージデータの表示形式は、例えば、従来のスマートフォンやＰＣ等におけるイメージデータの表示形式と同様である。この場合、ＣＰＵ１２７は、入力装置１２３を介して行われる利用者の指示入力に応じて、例えば、１つ又は複数毎にイメージデータをディスプレイ１２２に表示する。
【００７０】
Ｓ２７０の後、例えば、入力装置１２３を介して利用者により所定の入力が行われると、照会動作が終了し、ＣＰＵ１２７は、再びディスプレイ１２２にメニュー画面１４１（図８参照）を表示する。
【００７１】
以上のように、本実施形態に係る利用者端末１０によれば、利用者が過去の投票内容を照会するときに、ＲＯＭ１２９に記憶されている投票履歴データテーブルに格納されている全ての投票履歴データが投票結果反映済みである場合には、利用者端末１０と投票サーバ２０との間で通信が行われることなく利用者は過去の投票内容を照会することができる。従って、このような場合には、通信トラフィックや投票サーバ２０の負荷の状態に関係なく、利用者はいつでも過去の投票内容を照会することができる。なお、このような場合には、利用者の照会時刻が投票サーバ２０の利用時間外であっても、その照会を行うことができることは勿論のことである。
【００７２】
また、利用者が過去の投票内容を照会するときは、その投票内容が投票券イメージとしてディスプレイ１２２に表示されるので、利用者は、目的とする投票内容を容易に見つけ出すことができ、従来のように過去の投票時に通知された受付番号（受付Ｎｏ．）等に基づいて見つけ出す必要はなく、その煩わしさから解放される。また、利用者は、その投票券イメージを一見するだけで、投票結果が未確定（レース結果待ち）の投票内容であるのか、投票結果が高配当な的中の投票内容であるのか、投票結果が高配当でない的中の投票内容であるのか、投票結果が不的中の投票内容であるのか、を認識することができる。
【００７３】
なお、本実施形態に係る利用者端末１０は、次のような変形が可能である。
例えば、投票券イメージデータの更新を上述の第２の方法により行うようにする場合には、次のように変形される。
【００７４】
ＲＯＭ１２９は、的中スタンプイメージデータ及び不的中スタンプイメージデータが予め記憶される。あるいは、ＲＯＭ１２９は、高配当な的中スタンプイメージデータ、高配当でない的中スタンプイメージデータ、及び不的中スタンプイメージデータが予め記憶される。なお、的中スタンプイメージデータ又は高配当でない的中スタンプイメージデータは、例えば、図１４に示したイメージデータ１７１ｃである。不的中スタンプイメージデータは、例えば、図１５に示したイメージデータ１７２ｂである。高配当な的中スタンプイメージデータは、例えば、図１６に示したイメージデータ１７３ｃや図１７に示したイメージデータ１７４ｃである。
【００７５】
そして、図１０のＳ２６０では、ＣＰＵ１２７が、Ｓ２５０で更新した投票履歴データに基づいて、ＲＯＭ１２９に記憶されている、ファイル名が対応する投票券イメージデータに、ＲＯＭ１２９に記憶されている的中スタンプイメージデータ又は不的中スタンプイメージデータを合成して、投票券イメージデータを更新する。あるいは、ＣＰＵ１２７が、Ｓ２５０で更新した投票履歴データに基づいて、ＲＯＭ１２９に記憶されている、ファイル名が対応する投票券イメージデータに、ＲＯＭ１２９に記憶されている高配当な的中スタンプイメージデータ、高配当でない的中スタンプイメージデータ、又は不的中スタンプイメージデータを合成して、投票券イメージデータを更新する。
【００７６】
但し、このような変形例では、図９のＳ１７０で生成される投票券イメージデータに、図１２又は図１３に示したような、投票結果が未確定（レース結果待ち）であることを示すイメージデータ１６１ａ又は１６２ａは含まれない。
【００７７】
また、例えば、図１０に示した照会動作を示すフローチャートにおいて、Ｓ２２０の判定結果がＹｅｓの場合に、Ｓ２３０の問い合わせを行うか否かを利用者が選択できるようにしてもよい。この場合は、例えば、Ｓ２２０の判定結果がＹｅｓの場合に、入力装置１２３を介して行われる利用者の選択入力に応じて、Ｓ２３０の問い合わせを行うか否かを判定し、その判定結果がＹｅｓの場合には処理がＳ２３０へ進み、その判定結果がＮｏの場合には処理がＳ２７０へ進むようにしてもよい。このような変形例によれば、利用者がＳ２３０の問い合わせを行わない選択入力を行うことによって、利用者端末１０と投票サーバ２０との間で通信が行われることなく利用者はいつでも過去の投票内容（但し、投票結果未反映の投票履歴データにおける投票結果を除く）を照会することができる。なお、利用者がＳ２３０の問い合わせを行わない選択入力を行う場合とは、例えば、利用者が過去の投票時の投票内容のみを直ちに照会したい場合等である。
【００７８】
以上、本発明の実施の形態を説明したが、本発明は、上述した実施の形態に限定されることなく、本発明の要旨を逸脱しない範囲内で種々の改良・変更が可能である。
【００７９】
以上の実施形態に関し、更に以下の付記を開示する。
（付記１）
公営競技の投票に使用される端末装置であって、
利用者の入力を受け付ける入力部と、
前記入力部により受け付けられた前記投票に関する入力に応じた投票データをサーバへ送信し、前記投票データの受付結果を前記サーバから受信する通信部と、
前記受付結果が受付許可である場合に、前記投票データを含む投票履歴データが記憶される投票履歴データ記憶部と、
前記受付結果が受付許可である場合に、前記投票データに基づいて、投票券イメージデータを生成する生成部と、
前記生成部により生成された投票券イメージデータが記憶される投票券イメージデータ記憶部と、
前記入力部により投票内容照会要求に関する入力が受け付けられたときに、前記投票券イメージデータ記憶部に記憶されている投票券イメージデータを表示する表示部と、
を備えることを特徴とする端末装置。
（付記２）
前記投票履歴データ記憶部に記憶されている投票履歴データを更新する投票履歴データ更新部と、
前記投票券イメージデータ記憶部に記憶されている投票券イメージデータを更新する投票券イメージデータ更新部と、
を更に備え、
前記入力部により前記投票内容照会要求に関する入力が受け付けられたときに、前記投票履歴データ記憶部に記憶されている投票履歴データの中に投票結果未反映の投票履歴データが含まれる場合は、
前記通信部が、更に、前記投票結果未反映の投票履歴データに関する投票結果照会要求を前記サーバへ送信し、前記投票結果照会要求に対する投票結果を前記サーバから受信し、
前記投票履歴データ更新部が、前記投票結果に基づいて、前記投票履歴データ記憶部に記憶されている、前記投票結果未反映の投票履歴データを更新し、
前記投票券イメージデータ更新部が、前記投票履歴データ更新部により更新された投票履歴データに基づいて、投票券イメージデータ記憶部に記憶されている、対応する投票券イメージデータを更新し、
前記表示部が、前記投票券イメージデータ記憶部に記憶されている投票券イメージデータを表示する、
ことを特徴とする付記１記載の端末装置。
（付記３）
前記投票券イメージデータ更新部により更新された投票券イメージデータは、当該更新された投票券イメージデータが前記表示部により表示されたときに的中又は不的中が利用者に区別可能になるような投票券イメージデータである、
ことを特徴とする付記２記載の端末装置。
（付記４）
前記投票券イメージデータ更新部により更新された投票券イメージデータは、当該更新された投票券イメージデータが前記表示部により表示されたときに高配当な的中、高配当でない的中、又は不的中が利用者に区別可能になるような投票券イメージデータである、
ことを特徴とする付記３記載の端末装置。
（付記５）
前記投票券イメージデータ更新部は、前記投票履歴データ更新部により更新された投票履歴データに基づいて更新後投票券イメージデータを生成し、前記投票券イメージデータ記憶部に記憶されている、対応する投票券イメージデータを、前記更新後投票券イメージデータに置き換える、
ことを特徴とする付記２乃至４の何れか一項に記載の端末装置。
（付記６）
前記投票券イメージデータ更新部は、前記投票履歴データ更新部により更新された投票履歴データに基づいて更新後投票券イメージデータを生成するときに、前記更新された投票履歴データが的中の組み合わせ及び不的中の組み合わせを有する組番を含む場合は、当該更新後投票券イメージデータが前記表示部により表示されたときに的中の組み合わせと不的中の組み合わせとが利用者に区別可能になるような更新後投票券イメージデータを生成する、
ことを特徴とする付記５記載の端末装置。
（付記７）
的中スタンプイメージデータ及び不的中スタンプイメージデータが記憶されるスタンプイメージデータ記憶部を更に備え、
前記投票券イメージデータ更新部は、前記投票履歴データ更新部により更新された投票履歴データに基づいて、前記投票券イメージデータ記憶部に記憶されている、対応する投票券イメージデータに、前記スタンプイメージデータ記憶部に記憶されている的中スタンプイメージデータ又は不的中スタンプイメージデータを合成する、
ことを特徴とする付記２又は３記載の端末装置。
（付記８）
高配当な的中スタンプイメージデータ、高配当でない的中スタンプイメージデータ、及び不的中スタンプイメージデータが記憶されるスタンプイメージデータ記憶部を更に備え、
前記投票券イメージデータ更新部は、前記投票履歴データ更新部により更新された投票履歴データに基づいて、前記投票券イメージデータ記憶部に記憶されている、対応する投票券イメージデータに、前記スタンプイメージデータ記憶部に記憶されている高配当な的中スタンプイメージデータ、高配当でない的中スタンプイメージデータ、又は不的中スタンプイメージデータを合成する、
ことを特徴とする付記２乃至４の何れか一項に記載の端末装置。
（付記９）
公営競技の投票に使用される端末装置のコンピュータに、
利用者の入力を受け付ける入力機能と、
前記入力機能により受け付けられた前記投票に関する入力に応じた投票データをサーバへ送信し、前記投票データの受付結果を前記サーバから受信する通信機能と、
前記受付結果が受付許可である場合に、前記投票データを含む投票履歴データを投票履歴データ記憶部に記憶する投票履歴データ記憶機能と、
前記受付結果が受付許可である場合に、前記投票データに基づいて、投票券イメージデータを生成する生成機能と、
前記生成機能により生成された投票券イメージデータを投票券イメージデータ記憶部に記憶する投票券イメージデータ記憶機能と、
前記入力機能により投票内容照会要求に関する入力が受け付けられたときに、前記投票券イメージデータ記憶部に記憶されている投票券イメージデータを表示する表示機能と、
を実現させることを特徴とする投票内容照会プログラム。
（付記１０）
前記コンピュータに、
前記投票履歴データ記憶部に記憶されている投票履歴データを更新する投票履歴データ更新機能と、
前記投票券イメージデータ記憶部に記憶されている投票券イメージデータを更新する投票券イメージデータ更新機能と、
を更に実現させ、
前記入力機能により前記投票内容照会要求に関する入力が受け付けられたときに、前記投票履歴データ記憶部に記憶されている投票履歴データの中に投票結果未反映の投票履歴データが含まれる場合は、
前記通信機能が、更に、前記投票結果未反映の投票履歴データに関する投票結果照会要求を前記サーバへ送信し、前記投票結果照会要求に対する投票結果を前記サーバから受信し、
前記投票履歴データ更新機能が、前記投票結果に基づいて、前記投票履歴データ記憶部に記憶されている、前記投票結果未反映の投票履歴データを更新し、
前記投票券イメージデータ更新機能が、前記投票履歴データ更新機能により更新された投票履歴データに基づいて、投票券イメージデータ記憶部に記憶されている、対応する投票券イメージデータを更新し、
前記表示機能が、前記投票券イメージデータ記憶部に記憶されている投票券イメージデータを表示する、
ことを特徴とする付記９記載の投票内容照会プログラム。
（付記１１）
前記投票券イメージデータ更新機能により更新された投票券イメージデータは、当該更新された投票券イメージデータが前記表示機能により表示されたときに的中又は不的中が利用者に区別可能になるような投票券イメージデータである、
ことを特徴とする付記１０記載の投票内容照会プログラム。
（付記１２）
前記投票券イメージデータ更新機能により更新された投票券イメージデータは、当該更新された投票券イメージデータが前記表示機能により表示されたときに高配当な的中、高配当でない的中、又は不的中が利用者に区別可能になるような投票券イメージデータである、
ことを特徴とする付記１１記載の投票内容照会プログラム。
（付記１３）
公営競技の投票に使用される端末装置の投票内容照会方法であって、
利用者から受け付けた前記投票に関する入力に応じた投票データをサーバへ送信し、
前記投票データの受付結果を前記サーバから受信し、
前記受付結果が受付許可である場合に、前記投票データを含む投票履歴データを投票履歴データ記憶部に記憶し、
前記受付結果が受付許可である場合に、前記投票データに基づいて、投票券イメージデータを生成し、
前記生成した投票券イメージデータを投票券イメージデータ記憶部に記憶し、
前記利用者から投票内容照会要求に関する入力を受け付けたときに、前記投票券イメージデータ記憶部に記憶されている投票券イメージデータを表示する、
ことを特徴とする投票内容照会方法。
（付記１４）
前記投票内容照会要求に関する入力を受け付けたときに、前記投票履歴データ記憶部に記憶されている投票履歴データの中に投票結果未反映の投票履歴データが含まれる場合は、
前記投票結果未反映の投票履歴データに関する投票結果照会要求を前記サーバへ送信し、
前記投票結果照会要求に対する投票結果を前記サーバから受信し、
前記投票結果に基づいて、前記投票履歴データ記憶部に記憶されている、前記投票結果未反映の投票履歴データを更新し、
前記更新した投票履歴データに基づいて、投票券イメージデータ記憶部に記憶されている、対応する投票券イメージデータを更新し、
前記投票券イメージデータ記憶部に記憶されている投票券イメージデータを表示する、
ことを特徴とする付記１３記載の投票内容照会方法。
（付記１５）
前記更新された投票券イメージデータは、当該更新された投票券イメージデータが表示されたときに的中又は不的中が利用者に区別可能になるような投票券イメージデータである、
ことを特徴とする付記１４記載の投票内容照会方法。
（付記１６）
前記更新された投票券イメージデータは、当該更新された投票券イメージデータが表示されたときに高配当な的中、高配当でない的中、又は不的中が利用者に区別可能になるような投票券イメージデータである、
ことを特徴とする付記１５記載の投票内容照会方法。
【符号の説明】
【００８０】
１          公営競技用システム
１０        利用者端末
２０        投票サーバ
３０        ネットワーク
１０１      制御部
１０２      入力部
１０３      通信部
１０４      投票履歴データ記憶部
１０５      生成部
１０６      投票券イメージデータ記憶部
１０７      表示部
１０８      投票履歴データ更新部
１０９      投票券イメージデータ更新部
１１０      スタンプイメージデータ記憶部
１２１      制御装置
１２２      ディスプレイ
１２３      入力装置
１２４      カメラ
１２５      電源部
１２６      通信装置
１２７      ＣＰＵ
１２８      ＲＡＭ
１２９      ＲＯＭ
１３０      入出力装置
１３１      バス
１４１      メニュー画面
１４２      「投票」ボタン
１４３      「照会」ボタン
１５１      確認画面
１５２      投票内容
１５３      「投票する」ボタン
１６１      投票券イメージデータ
１６１ａ    イメージデータ
１６２      投票券イメージデータ
１６２ａ    イメージデータ
１７１      更新後投票券イメージデータ
１７１ａ、１７１ｂ、１７１ｃ  イメージデータ
１７２      更新後投票券イメージデータ
１７２ａ、１７２ｂ  イメージデータ
１７３      更新後投票券イメージデータ
１７３ａ、１７３ｂ、１７３ｃ  イメージデータ
１７４      更新後投票券イメージデータ
１７４ａ、１７４ｂ、１７４ｃ  イメージデータ
【図１】
0006499564.tif 000002
【図２】
0006499564.tif 000003
【図３】
0006499564.tif 000004
【図４】
0006499564.tif 000005
【図５】
0006499564.tif 000006
【図６】
0006499564.tif 000007
【図７】
0006499564.tif 000008
【図８】
0006499564.tif 000009
【図９】
0006499564.tif 000010
【図１０】
0006499564.tif 000011
【図１１】
0006499564.tif 000012
【図１２】
0006499564.tif 000013
【図１３】
0006499564.tif 000014
【図１４】
0006499564.tif 000015
【図１５】
0006499564.tif 000016
【図１６】
0006499564.tif 000017
【図１７】
0006499564.tif 000018